(57)【要約】【課題】家庭電気製品を収納した状態で使用できるようにした家庭電気製品収納庫において、キャビネット内に収納した家庭電気製品の蒸気量に応じて排気能力を可変することで、騒音を低減する。【解決手段】キャビネット１内に家庭電気製品２を収納し前面が開口した家庭電気製品収納部３を設け、この家庭電気製品収納部３からキャビネット１前方に連通しファン８を内蔵する排出通路１０を有する排出装置６を備える。ファン８の動作を制御手段１５により制御し、家庭電気製品２から排出される蒸気量を温度検知手段１３により検知するよう構成する。制御手段１５は、温度検知手段１３により検知した温度（蒸気量）が第１の判定基準を超える場合にはファン８を低い回転数で駆動し、第１の判定基準より高い第２の判定基準を超える場合はファン８を高い回転数で駆動するよう構成する。【選択図】図１
2008119418.tif 000002
【特許請求の範囲】
【請求項１】
キャビネットと、このキャビネット内に設け家庭電気製品を収納する前面が開口した家庭電気製品収納部と、この家庭電気製品収納部からキャビネット前方に連通しファンを内蔵する排出通路を有する排出装置と、前記ファンの動作を制御する制御手段と、家庭電気製品から排出される蒸気量を検知する蒸気量検知手段とを備え、前記制御手段は、前記蒸気量検知手段により検知した蒸気量が第１の判定基準を超える場合には前記ファンを低い回転数で駆動し、前記第１の判定基準より高い第２の判定基準を超える場合は前記ファンを高い回転数で駆動するよう構成した家庭電気製品収納庫。
【請求項２】
蒸気量検知手段は、排出通路内に設けた温度検知手段で構成した請求項１記載の家庭電気製品収納庫。
【請求項３】
家庭電気製品へ給電する給電手段と、この給電手段に流れる電流を検知する電流検知手段とを備え、制御手段は、前記給電手段に流れる電流が所定の電流値を超える場合はファンを駆動するようにした請求項１または２記載の家庭電気製品収納庫。
【請求項４】
給電手段に流れる電流が所定の電流値より小さくなった場合にファンを所定時間遅延運転させた後停止する遅延手段を備え、前記遅延手段の遅延時間は、室温が所定の温度より高い場合には短くし、所定の温度より低い場合は長くした請求項３記載の家庭電気製品収納庫。
【請求項５】
キャビネットと、このキャビネット内に設け家庭電気製品を収納する前面が開口した家庭電気製品収納部と、この家庭電気製品収納部からキャビネット前方に連通しファンを内蔵する排出通路を有する排出装置と、前記ファンの動作を制御する制御手段と、前記家庭電気製品へ給電する給電手段と、この給電手段に流れる電流を検知する電流検知手段とを備え、前記制御手段は、前記給電手段に流れる電流が第３の判定基準を超える場合には前記ファンを低い回転数で駆動し、前記第３の判定基準より高い第４の判定基準を超える場合は前記ファンを高い回転数で駆動するよう構成した家庭電気製品収納庫。
【発明の詳細な説明】
【技術分野】
【０００１】
本発明は、家庭電気製品を収納した状態で使用できるようにした家庭電気製品収納庫に関するものである。
【背景技術】
【０００２】
従来、この種の家庭電気製品収納庫は、キャビネット内に、全面が開口し家庭電気製品を収納する家庭電気製品収納部を設け、この家庭電気製品収納部の天面に家庭電気製品から排出される熱気・蒸気を外部へ排出する排出装置を設け、家庭電気製品から排出される熱気・蒸気を外部へ排出することで、家庭電気製品を収納した状態で使用できるよう構成していた（例えば、特許文献１参照）。
【特許文献１】特公平７−１１４７３５号公報
【発明の開示】
【発明が解決しようとする課題】
【０００３】
このような従来の構成では、キャビネット内に家庭電気製品を収納して使用しているとき、家庭電気製品の蒸気量に関係なく一定風量で駆動する。このとき、蒸気量最大時に問題なく蒸気を排出するために最大排出能力で駆動する。このため、蒸気量が少ない場合は排気能力を低くしても蒸気の排出には問題がないが、騒音が高いという問題を有していた。
【０００４】
本発明は上記従来の課題を解決するもので、キャビネット内に収納した家庭電気製品の蒸気量に応じて排気能力を可変することで、騒音を低減することを目的としている。
【課題を解決するための手段】
【０００５】
本発明は上記目的を達成するために、キャビネット内に家庭電気製品を収納し前面が開口した家庭電気製品収納部を設け、この家庭電気製品収納部からキャビネット前方に連通しファンを内蔵する排出通路を有する排出装置を備え、ファンの動作を制御手段により制御し、家庭電気製品から排出される蒸気量を蒸気量検知手段により検知するよう構成し、制御手段は、蒸気量検知手段により検知した蒸気量が第１の判定基準を超える場合にはファンを低い回転数で駆動し、第１の判定基準より高い第２の判定基準を超える場合はファンを高い回転数で駆動するよう構成したものである。
【０００６】
これにより、家庭電気製品から排出される蒸気量が少ない場合は、低い回転数で静かにファンを駆動し、蒸気量が多い場合は、高い回転数で蒸気を排気することができるので、キャビネット内に収納した家庭電気製品の蒸気量に応じて排気能力を可変することができ、騒音を低減することができる。
【発明の効果】
【０００７】
本発明の家庭電気製品収納庫は、キャビネット内に収納した家庭電気製品の蒸気量に応じて排気能力を可変することで、騒音を低減することができる。
【発明を実施するための最良の形態】
【０００８】
第１の発明は、キャビネットと、このキャビネット内に設け家庭電気製品を収納する前面が開口した家庭電気製品収納部と、この家庭電気製品収納部からキャビネット前方に連通しファンを内蔵する排出通路を有する排出装置と、前記ファンの動作を制御する制御手段と、家庭電気製品から排出される蒸気量を検知する蒸気量検知手段とを備え、前記制御手段は、前記蒸気量検知手段により検知した蒸気量が第１の判定基準を超える場合には前記ファンを低い回転数で駆動し、前記第１の判定基準より高い第２の判定基準を超える場合は前記ファンを高い回転数で駆動するよう構成したものであり、家庭電気製品から排出される蒸気量が少ない場合は、低い回転数で静かにファンを駆動し、蒸気量が多い場合は、高い回転数で蒸気を排気することができるので、キャビネット内に収納した家庭電気製品の蒸気量に応じて排気能力を可変することができ、騒音を低減することができる。
【０００９】
第２の発明は、上記第１の発明において、蒸気量検知手段は、排出通路内に設けた温度検知手段で構成したものであり、蒸気量が多く排気温度が高いときは高い回転数でファンを動作することができ、蒸気を円滑に外部へ排気することができる。また、必要に応じて、運転開始時に温度検知手段により室温を検知することができる。
【００１０】
第３の発明は、上記第１または第２の発明において、家庭電気製品へ給電する給電手段と、この給電手段に流れる電流を検知する電流検知手段とを備え、制御手段は、前記給電手段に流れる電流が所定の電流値を超える場合はファンを駆動するようにしたものであり、家庭電気製品の動作を開始し、給電手段に所定の電流値を超える電流が流れるとファンを駆動するので、家庭電気製品より蒸気が排出されたときにはファンは回転しており、排出された蒸気を円滑に外部へ排気することができ、排出通路などに結露するのを防止することができる。
【００１１】
第４の発明は、上記第３の発明において、給電手段に流れる電流が所定の電流値より小さくなった場合にファンを所定時間遅延運転させた後停止する遅延手段を備え、前記遅延手段の遅延時間は、室温が所定の温度より高い場合には短くし、所定の温度より低い場合は長くしたものであり、給電手段に流れる電流が所定の電流値より小さくなってファンを停止させる場合に、室温が低い場合は蒸気が結露しやすいため、遅延時間を長くすることで結露を防止することができ、室温が高い場合は蒸気が結露しにくいので、遅延時間を短くすることで、ファンの動作時間を短くすることができる。
【００１２】
第５の発明は、キャビネットと、このキャビネット内に設け家庭電気製品を収納する前面が開口した家庭電気製品収納部と、この家庭電気製品収納部からキャビネット前方に連通しファンを内蔵する排出通路を有する排出装置と、前記ファンの動作を制御する制御手段と、前記家庭電気製品へ給電する給電手段と、この給電手段に流れる電流を検知する電流検知手段とを備え、前記制御手段は、前記給電手段に流れる電流が第３の判定基準を超える場合には前記ファンを低い回転数で駆動し、前記第３の判定基準より高い第４の判定基準を超える場合は前記ファンを高い回転数で駆動するよう構成したものであり、家庭電気製品が第３の判定基準を超える電流が流れて動作し蒸気の排出が少ないか蒸気の排出がほとんどない第１の工程と、第３の判定基準より高い第４の判定基準を超える電流が流れて動作し蒸気の排出が多い第２の工程とを有する場合、第１の工程ではファンを低い回転数で駆動し、第２の工程ではファンを高い回転数で駆動することで、家庭電気製品から排出される蒸気量が多い場合は、高い回転数でファンを駆動して蒸気を排気し、蒸気量が少ないか蒸気の排出がほとんどない場合は、低い回転数で静かにファンを駆動することができるので、キャビネット内に収納した家庭電気製品の蒸気量に応じて排気能力を可変することができ、騒音を低減することができる。
【００１３】
以下、本発明の実施の形態について、図面を参照しながら説明する。なお、この実施の形態によって本発明が限定されるものではない。
【００１４】
（実施の形態１）
図１は、本発明の実施の形態１における家庭電気製品収納庫の断面図を示し、図２は、同家庭電気製品収納庫の正面図を示し、図３は、同家庭電気製品収納庫の要部ブロック図を示すものである。
【００１５】
図１および図２に示すように、キャビネット１は、前面が開口し、内部に炊飯器２ａやジャーポット２ｂなど蒸気を発生する家庭電気製品２を収納する家庭電気製品収納部３を有している。家庭電気製品収納部３の下面に家庭電気製品２を載置するスライド台４を収納自在に設けており、必要に応じて家庭電気製品収納部３から家庭電気製品２を引き出して使用できるようにしている。家庭電気製品収納部２の前面に扉５を開閉自在に設けている。また、家庭電気製品収納部３の天面には、収納した家庭電気製品２から排出する蒸気を外部に排出する排出装置６を設けており、家庭電気製品収納部３に蒸気を発生する家庭電気製品２を収納した場合においても、家庭電気製品２を収納したまま使用できるようにしている。
【００１６】
排出装置６の下面に１つの大きな開口部をもつ蒸気吸引部７を設けており、排出装置６の内部にファン８を設けている。蒸気吸引部７の内側に蒸気を広い範囲で効率よく吸引するために、複数の穴（図示せず）を有する整流板９を設けており、家庭電気製品収納部３内で発生した蒸気を外気と混合し、整流板９の穴および整流板９の外周より蒸気を吸引する構成としている。吸引された蒸気は排出通路１０を通ってファン８に入り、ファン８により吐出されて排出装置６の前方に設けた蒸気排気口１１から吐出される。また、排出装置６の前面に表示部１２を設けている。
【００１７】
温度検知手段１３は、家庭電気製品２から排出される蒸気を検知する蒸気量検知手段を構成するもので、サーミスタにより構成し、排出通路１０に設けている。家庭電気製品２から排出される蒸気が排出通路１０を通って外部へ排出されるとき、温度検知手段１３により蒸気による温度上昇を検知することで、蒸気量を検知することができる。給電手段１４は、コンセント１４ａ、１４ｂにより構成し、家庭電気製品２を接続して給電するもので、家庭電気製品収納部３に設けている。
【００１８】
制御手段１５は、ファン８の動作を制御するもので、図３に示すように、温度検知手段１３の出力によりファン８を制御するよう構成しており、温度検知手段１３により検知した温度（蒸気量）が第１の判定基準（例えば、４０℃）を超える場合には、蒸気量が少ないと判断してファン８を低い回転数（例えば、約８００ｒ／ｍｉｎ）で駆動し、第１の判定基準より高い第２の判定基準（例えば、５０℃）を超える場合、蒸気量が多いと判断してファン８を高い回転数（例えば、約１３００ｒ／ｍｉｎ）で駆動するよう構成している。なお、１６は、家庭電気製品２を給電手段１４に接続するプラグである。
【００１９】
上記構成において動作、作用について説明する。家庭電気製品収納部３の下面に設けたスライド台４に家庭電気製品２を載置して家庭電気製品２を家庭電気製品収納部３内に収納し、家庭電気製品収納部３内のコンセント１４ａ、１４ｂに接続した後、扉５を閉じて動作を開始する。ここで、家庭電気製品２が炊飯器２ａである場合は炊飯工程より動作を開始し、ジャーポット２ｂである場合は湯沸し工程より動作を開始するので、いずれも動作を開始した後、やがて家庭電気製品２より蒸気を排出する。
【００２０】
一方、排出通路１０に蒸気量を検知する蒸気量検知手段を構成する温度検知手段１３を設けており、この温度検知手段１３により検知した温度が第１の判定基準（４０℃）を超えると、制御手段１５は排出装置６内のファン８を低い回転数（約８００ｒ／ｍｉｎ）で駆動する。ファン８を動作させると、家庭電気製品２より排出されファン８により外気とともに蒸気吸引部７より吸い込まれた蒸気は、内部ダクト１０を経由して蒸気排気口１１から外部に排出される。
【００２１】
このとき、蒸気吸引部７の内側に設置した整流板９には、家庭電気製品収納部３内に収納した家庭電気製品２の蒸気口１７に対向した位置に複数の穴を有しているので、蒸気口１７より排出される蒸気は、図１の矢印ａで示すように、複数の穴を通して排出装置６に吸引されるとともに、図１の矢印ｂで示すように、一部は整流板９の外周より排出装置６に吸引される。吸引された蒸気は排出通路１０を通って蒸気排気口１１から排出される。
【００２２】
さらに、家庭電気製品２より排出される蒸気量が多くなって温度検知手段１３により検知した温度が第１の判定基準より高い第２の判定基準（５０℃）を超えると、制御手段１５はファン８を高い回転数（約１３００ｒ／ｍｉｎ）で駆動する。これにより、キャビネット１内に収納した家庭電気製品の蒸気量に応じて排気能力を可変することができる。
【００２３】
近年、家庭電気製品２は、美味しさを追求するため、また、電子技術の発達により通電を変化させるものが主流になっている。これにより排出される蒸気も一定ではなく変化している。したがって、蒸気処理に必要な排気能力も一定にする必要はなく、蒸気量が多いときは能力を高くし、また蒸気量が少ないときは能力を低くすることが可能であり、ファン８の騒音の低減を図れるだけでなく、省エネルギにも効果を発揮することができる。
【００２４】
以上のように、本実施の形態においては、制御手段１５は、温度検知手段１３により検知した温度（蒸気量）が第１の判定基準を超える場合にはファン８を低い回転数で駆動し、第１の判定基準より高い第２の判定基準を超える場合はファン８を高い回転数で駆動するよう構成したので、家庭電気製品２から排出される蒸気量が少ない場合は、低い回転数で静かにファン８を駆動し、蒸気量が多い場合は、高い回転数で蒸気を排気することができ、キャビネット１内に収納した家庭電気製品２の蒸気量に応じて排気能力を可変することができ、騒音を低減することができる。
【００２５】
また、蒸気量検知手段は、排出通路１０内に設けた温度検知手段１３で構成したので、蒸気量が多く排気温度が高いときは高い回転数でファン８を動作することができ、蒸気を円滑に外部へ排気することができる。また、必要に応じて、運転開始時に温度検知手段１３により室温を検知することができる。
【００２６】
なお、本実施の形態では、ファン８の回転数については２段階の可変としたが、多段にしても問題ない。また、ファン８の回転数制御については、電源の位相制御、モータコイルのタップ切替等で行うことも可能である。
【００２７】
また、電源周波数により回転数が変動するモータを使用する場合、周波数を検知して所定の回転数になるようにファン８を制御することも可能である。例えば、隈取コイルモータの場合、（表１）に示すように、強、標準、弱の３種類にタップ切り替えができるように構成しておき、電源周波数により切り替えることで、１つのモータで低回転数と高回転数を得ることができる。
【００２８】
【表１】
2008119418.tif 000003
【００２９】
なお、（表１）において、弱は約８００ｒ／ｍｉｎ、強は約１３００ｒ／ｍｉｎである。
【００３０】
また、本実施の形態では、家庭電気製品２として炊飯器２ａとジャーポット２ｂの場合について説明したが、コーヒーメーカーなど蒸気が出るものであればよく、同様の作用、効果を得ることができる。
【００３１】
（実施の形態２）
図４は、本発明の実施の形態２における家庭電気製品収納庫の要部ブロック図を示すものである。
【００３２】
図４に示すように、電流検知手段１８は、給電手段１４に流れる電流を検知するもので、その出力を制御手段１５に入力している。制御手段１５は、給電手段１４に流れる電流が所定の電流値（例えば、２Ａ）を超える場合は、家庭電気製品２が炊飯器２ａである場合は炊飯工程で動作し、ジャーポット２ｂである場合は湯沸し工程で動作しているとしてファン８を駆動するようにしている。他の構成は上記実施の形態１と同じであり、同一符号を付して説明を省略する。
【００３３】
上記構成において動作、作用について説明する。家庭電気製品収納部３の下面に設けたスライド台４に家庭電気製品２を載置して家庭電気製品２を家庭電気製品収納部３内に収納し、家庭電気製品収納部３内のコンセント１４ａ、１４ｂに接続した後、扉５を閉じて家庭電気製品２の動作を開始すると、家庭電気製品２が炊飯器２ａである場合は炊飯工程で動作し、ジャーポット２ｂである場合は湯沸し工程で動作するので、給電手段１４に流れる電流が所定の電流値（２Ａ）を超えるため、排出装置６内のファン８が動作する。これにより、家庭電気製品２より排出された蒸気は、上記実施の形態１と同様にして排出通路１０を通って蒸気排気口１１から排出される。
【００３４】
ここで、家庭電気製品２が炊飯器２ａである場合の炊飯工程、ジャーポット２ｂである場合の湯沸し工程では、いずれも動作を開始した後、やがて家庭電気製品２より蒸気を排出する。そこで、温度検知手段１３により検知した温度が第１の判定基準（４０℃）を超えると、制御手段１５は排出装置６内のファン８を低い回転数（約８００ｒ／ｍｉｎ）で駆動する。
【００３５】
さらに、家庭電気製品２より排出される蒸気量が多くなって温度検知手段１３により検知した温度が第１の判定基準より高い第２の判定基準（５０℃）を超えると、制御手段１５はファン８を高い回転数（約１３００ｒ／ｍｉｎ）で駆動する。これにより、キャビネット１内に収納した家庭電気製品の蒸気量に応じて排気能力を可変することができる。
【００３６】
このように、家庭電気製品２が炊飯器２ａである場合は炊飯工程で、ジャーポット２ｂである場合は湯沸し工程で、給電手段１４に流れる電流が所定の電流値（２Ａ）を超えている限り、ファン８は連続的に動作する。つぎに、家庭電気製品２が炊飯器２ａ、ジャーポット２ｂのいずれであっても、保温工程に入ると、給電手段１４に流れる電流が所定の電流値（２Ａ）以下となるため、制御手段１５はファン８を停止させる。
【００３７】
以上のように、本実施の形態においては、制御手段１５は、給電手段１４に流れる電流が所定の電流値（２Ａ）を超える場合は、ファン８を駆動するようにしているので、家庭電気製品２の動作を開始し、給電手段１４に所定の電流値を超える電流が流れるとファン８を駆動するので、家庭電気製品２より蒸気が排出されたときにはファン８は回転しており、排出された蒸気を円滑に外部へ排気することができ、排出通路１０などに結露するのを防止することができる。
【００３８】
（実施の形態３）
図５は、本発明の実施の形態３における家庭電気製品収納庫の要部ブロック図を示すものである。
【００３９】
図５に示すように、遅延手段１９は、家庭電気製品２（炊飯器２ａ、ジャーポット２ｂのいずれも）が保温工程に入るなどにより、給電手段１４に流れる電流が所定の電流値（例えば、２Ａ）より小さくなった場合に、ファン８を所定時間遅延運転させた後停止するもので、この遅延手段１９の遅延時間は、室温が所定の温度（例えば、１０℃）より高い場合には短い時間（例えば、１０分）とし、所定の温度より低い場合は長い時間（例えば、３０分）としている。他の構成は上記実施の形態２と同じであり、同一符号を付して説明を省略する。
【００４０】
上記構成において動作、作用について説明する。なお、家庭電気製品２が炊飯器２ａである場合における炊飯工程での動作、およびジャーポット２ｂである場合における湯沸し工程での動作は、上記実施の形態２の動作と同じであるので説明を省略する。
【００４１】
家庭電気製品２が炊飯器２ａ、ジャーポット２ｂのいずれであっても、保温工程に入ると、給電手段１４に流れる電流が所定の電流値（２Ａ）以下となるため、制御手段１５は遅延手段１９の遅延時間が経過するとファン８を停止させる。
【００４２】
このとき、室温が低い場合は、蒸気が結露しやすいためファン８を長く運転しておく必要があるので、動作開始時に温度検知手段１３により検知した室温が所定の温度（１０℃）より低い場合は長い時間（３０分）経過した後、ファン８を停止させることにより結露を防止することができる。また、室温が所定の温度（１０℃）より高い場合は蒸気が結露しにくいので、短い時間（１０分）経過した後、ファン８を停止させることによりファン８の動作時間を短くすることができる。
【００４３】
以上のように、本実施の形態においては、給電手段１４に流れる電流が所定の電流値（２Ａ）より小さくなった場合にファン８を所定時間遅延運転させた後停止する遅延手段１９を備え、遅延手段１９の遅延時間は、室温が所定の温度（１０℃）より高い場合には短くし、所定の温度より低い場合は長くしたので、給電手段１４に流れる電流が所定の電流値より小さくなってファン８を停止させる場合に、室温が低い場合は遅延時間を長くすることで結露を防止することができ、室温が高い場合は遅延時間を短くすることで、ファン８の動作時間を短くすることができる。
【００４４】
（実施の形態４）
図６は、本発明の実施の形態４における家庭電気製品収納庫の要部ブロック図を示すものである。
【００４５】
図６に示すように、電流検知手段１８は、給電手段１４に流れる電流を検知するもので、その出力を制御手段１５に入力している。制御手段１５は、給電手段１４に流れる電流が第３の判定基準（例えば、４Ａ）を超える場合にはファン８を低い回転数（例えば、約８００ｒ／ｍｉｎ）で駆動し、第３の判定基準より高い第４の判定基準（例えば、８Ａ）を超える場合はファン８を高い回転数（例えば、約１３００ｒ／ｍｉｎ）で駆動するよう構成している。他の構成は上記実施の形態２と同じであり、同一符号を付して説明を省略する。
【００４６】
上記構成において家庭電気製品２が炊飯器２ａの場合の動作、作用について説明する。
【００４７】
炊飯器２ａは、炊飯工程において、第３の判定基準を超える電流が流れて動作し蒸気の排出が少ないか蒸気の排出がほとんどない吸水工程（第１の工程）と、第３の判定基準より高い第４の判定基準を超える電流が流れて動作し蒸気の排出が多い炊き上げ工程（第２の工程）とを有する。
【００４８】
家庭電気製品収納部３内に炊飯器２ａ（家庭電気製品２）を収納し、コンセント１４ａに接続した後、扉５を閉じて動作を開始すると、炊飯器２ａは炊飯工程の吸水工程に入り、給電手段１４に流れる電流が第３の判定基準（４Ａ）を超えるため、排出装置６内のファン８を低い回転数（約８００ｒ／ｍｉｎ）で駆動する。これにより、炊飯器２ａより排出された蒸気は、上記実施の形態１と同様にして、排出通路１０を通って蒸気排気口１１から排出される。
【００４９】
つぎに、炊き上げ工程に入ると、給電手段１４に流れる電流が第４の判定基準（８Ａ）を超えるため、排出装置６内のファン８を高い回転数（約１３００ｒ／ｍｉｎ）で駆動する。これにより、炊飯器２ａから排出される多量の蒸気を排出することができる。
【００５０】
なお、保温工程に入ると、上記実施の形態２と同様に、給電手段１４に流れる電流が所定の電流値（２Ａ）以下となるため、制御手段１５はファン８を停止させる。
【００５１】
以上のように、本実施の形態においては、制御手段１５は、給電手段１４に流れる電流が第３の判定基準を超える場合にはファン８を低い回転数（約８００ｒ／ｍｉｎ）で駆動し、第３の判定基準より高い第４の判定基準を超える場合はファン８を高い回転数（約１３００ｒ／ｍｉｎ）で駆動するよう構成したので、第３の判定基準を超える電流が流れて動作し蒸気の排出が少ないか蒸気の排出がほとんどない吸水工程ではファンを低い回転数で駆動し、第３の判定基準より高い第４の判定基準を超える電流が流れて動作し蒸気の排出が多い炊き上げ工程ではファン８を高い回転数で駆動することで、家庭電気製品から排出される蒸気量が多い場合は、高い回転数でファン８を駆動して蒸気を排気し、蒸気量が少ないか蒸気の排出がほとんどない場合は、低い回転数で静かにファン８を駆動することができるので、キャビネット１内に収納した家庭電気製品の蒸気量に応じて排気能力を可変することができ、騒音を低減することができる。
【産業上の利用可能性】
【００５２】
以上のように、本発明にかかる家庭電気製品収納庫は、キャビネット内に収納した家庭電気製品の蒸気量に応じて排気能力を可変することで、騒音を低減することができるので、家庭電気製品を収納した状態で使用できるようにした家庭電気製品収納庫として有用である。
【図面の簡単な説明】
【００５３】
【図１】本発明の実施の形態１における家庭電気製品収納庫の断面図
【図２】同家庭電気製品収納庫の正面図
【図３】同家庭電気製品収納庫の要部ブロック図
【図４】本発明の実施の形態２における家庭電気製品収納庫の要部ブロック図
【図５】本発明の実施の形態３における家庭電気製品収納庫の要部ブロック図
【図６】本発明の実施の形態４における家庭電気製品収納庫の要部ブロック図
【符号の説明】
【００５４】
１  キャビネット
２  家庭電気製品
３  家庭電気製品収納部
６  排出装置
８  ファン
１０  排出通路
１３  温度検知手段（蒸気量検知手段）
１５  制御手段
【図１】
2008119418.tif 000004
【図２】
2008119418.tif 000005
【図３】
2008119418.tif 000006
【図４】
2008119418.tif 000007
【図５】
2008119418.tif 000008
【図６】
2008119418.tif 000009